(57)【要約】  一態様に係るユーザ装置は、セルラ通信システムのユーザ装置であって、ＷＬＡＮ及び／又はブルートゥースによる無線通信を行う通信部と、前記セルラ通信システムのネットワークから送信され、前記セルラ通信システムを測定対象とするＭＤＴ測定を設定する設定メッセージを受信するセルラ受信部と、前記設定メッセージに基づいて前記セルラ通信システムに対する無線測定を行う制御部と、前記セルラ通信システムに対する測定結果を含むＭＤＴ測定情報を前記ネットワークに送信するセルラ送信部と、を備える。前記制御部は、前記ＷＬＡＮ及び／又は前記ブルートゥースに対する測定結果を利用可能である場合には、前記ＷＬＡＮ及び／又は前記ブルートゥースに対する測定結果を前記ＭＤＴ測定情報に含める。
2019160083.tif 000002
【特許請求の範囲】
【請求項１】
セルラ通信システムのユーザ装置であって、
ＷＬＡＮ及び／又はブルートゥースによる無線通信を行う通信部と、
前記セルラ通信システムのネットワークから送信され、前記セルラ通信システムを測定対象とするＭＤＴ測定を設定する設定メッセージを受信するセルラ受信部と、
前記設定メッセージに基づいて前記セルラ通信システムに対する無線測定を行う制御部と、
前記セルラ通信システムに対する測定結果を含むＭＤＴ測定情報を前記ネットワークに送信するセルラ送信部と、を備え、
前記制御部は、前記ＷＬＡＮ及び／又は前記ブルートゥースに対する測定結果を利用可能である場合には、前記ＷＬＡＮ及び／又は前記ブルートゥースに対する測定結果を前記ＭＤＴ測定情報に含める、ユーザ装置。
【請求項２】
ＧＮＳＳ位置情報を取得するためのＧＮＳＳ受信部をさらに備え、
前記制御部は、前記ＧＮＳＳ位置情報を取得不能であり、かつ、前記ＷＬＡＮ及び／又は前記ブルートゥースに対する測定結果を利用可能である場合には、前記ＷＬＡＮ及び／又は前記ブルートゥースに対する測定結果を前記ＭＤＴ測定情報に含める、請求項１に記載のユーザ装置。
【請求項３】
前記制御部は、前記設定メッセージが前記ＷＬＡＮ及び／又は前記ブルートゥースを測定対象として設定しない場合であっても、前記ＷＬＡＮ及び／又は前記ブルートゥースに対する測定結果を利用可能である場合には、前記ＷＬＡＮ及び／又は前記ブルートゥースに対する測定結果を自律的に前記ＭＤＴ測定情報に含める、請求項１に記載のユーザ装置。
【請求項４】
前記セルラ受信部は、前記ネットワークのセルにおいてブロードキャストされ、識別子リストを含むシステム情報ブロックをさらに受信し、
前記識別子リストは、１又は複数のＷＬＡＮ識別子及び／又は１又は複数のブルートゥース識別子を含み、
前記制御部は、前記識別子リスト中の識別子に限定して前記ＷＬＡＮ及び／又は前記ブルートゥースに対する無線測定を行う、請求項１に記載のユーザ装置。
【請求項５】
セルラ通信システムのユーザ装置であって、
ＷＬＡＮ及び／又はブルートゥースによる無線通信を行う通信部と、
前記セルラ通信システムのネットワークから送信され、ログドＭＤＴ測定を設定する設定メッセージを受信するセルラ受信部と、
前記設定メッセージに基づいて、前記ＷＬＡＮ及び／又は前記ブルートゥースに対する無線測定を行い、測定結果を含むＭＤＴ測定情報を記録する制御部と、
前記ネットワークからの要求に応じて、前記ＭＤＴ測定情報を前記ネットワークに送信するセルラ送信部と、を備え、
前記セルラ受信部は、前記ネットワークのセルにおいてブロードキャストで送信され、識別子リストを含むシステム情報ブロックをさらに受信し、
前記識別子リストは、１又は複数のＷＬＡＮ識別子及び／又は１又は複数のブルートゥース識別子を含み、
前記制御部は、前記識別子リスト中の識別子に限定して前記ＷＬＡＮ及び／又は前記ブルートゥースに対する無線測定を行う、ユーザ装置。
【請求項６】
セルラ通信システムのユーザ装置であって、
ＷＬＡＮ及び／又はブルートゥースによる無線通信を行う通信部と、
前記セルラ通信システムのネットワークから送信され、ログドＭＤＴ測定を設定する設定メッセージを受信するセルラ受信部と、
前記設定メッセージに基づいて、前記ＷＬＡＮ及び／又は前記ブルートゥースに対する無線測定を行い、測定結果を含むＭＤＴ測定情報を記録する制御部と、
前記ＭＤＴ測定情報を有することを示す可用性インジケータを前記ネットワークに送信した後、前記ネットワークからの要求に応じて前記ＭＤＴ測定情報を前記ネットワークに送信するセルラ送信部と、を備え、
前記可用性インジケータは、前記ＭＤＴ測定情報を有することを示すだけではなく、前記ＷＬＡＮ及び／又は前記ブルートゥースに対する測定結果が前記ＭＤＴ測定情報に含まれることも示す、ユーザ装置。
【発明の詳細な説明】
【技術分野】
【０００１】
本発明は、セルラ通信システムのユーザ装置に関する。
【背景技術】
【０００２】
セルラ通信システムの標準化プロジェクトである３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において、ＭＤＴ（Ｍｉｎｉｍｉｚａｔｉｏｎ  ｏｆ  Ｄｒｉｖｅ  Ｔｅｓｔｓ）が仕様化されている。ＭＤＴは、ユーザ装置が無線環境を測定し、測定結果を位置情報と共にネットワークに報告することにより、ネットワークの最適化等を図る機能である。
【発明の概要】
【０００３】
一態様に係るユーザ装置は、セルラ通信システムのユーザ装置であって、ＷＬＡＮ及び／又はブルートゥースによる無線通信を行う通信部と、前記セルラ通信システムのネットワークから送信され、前記セルラ通信システムを測定対象とするＭＤＴ測定を設定する設定メッセージを受信するセルラ受信部と、前記設定メッセージに基づいて前記セルラ通信システムに対する無線測定を行う制御部と、前記セルラ通信システムに対する測定結果を含むＭＤＴ測定情報を前記ネットワークに送信するセルラ送信部と、を備える。前記制御部は、前記ＷＬＡＮ及び／又は前記ブルートゥースに対する測定結果を利用可能である場合には、前記ＷＬＡＮ及び／又は前記ブルートゥースに対する測定結果を前記ＭＤＴ測定情報に含める。
【０００４】
一態様に係るユーザ装置は、セルラ通信システムのユーザ装置であって、ＷＬＡＮ及び／又はブルートゥースによる無線通信を行う通信部と、前記セルラ通信システムのネットワークから送信され、ログドＭＤＴ測定を設定する設定メッセージを受信するセルラ受信部と、前記設定メッセージに基づいて、前記ＷＬＡＮ及び／又は前記ブルートゥースに対する無線測定を行い、測定結果を含むＭＤＴ測定情報を記録する制御部と、前記ネットワークからの要求に応じて、前記ＭＤＴ測定情報を前記ネットワークに送信するセルラ送信部と、を備える。前記セルラ受信部は、前記ネットワークのセルにおいてブロードキャストで送信され、識別子リストを含むシステム情報ブロックをさらに受信する。前記識別子リストは、１又は複数のＷＬＡＮ識別子及び／又は１又は複数のブルートゥース識別子を含む。前記制御部は、前記識別子リスト中の識別子に限定して前記ＷＬＡＮ及び／又は前記ブルートゥースに対する無線測定を行う。
【０００５】
一態様に係るユーザ装置は、セルラ通信システムのユーザ装置であって、ＷＬＡＮ及び／又はブルートゥースによる無線通信を行う通信部と、前記セルラ通信システムのネットワークから送信され、ログドＭＤＴ測定を設定する設定メッセージを受信するセルラ受信部と、前記設定メッセージに基づいて、前記ＷＬＡＮ及び／又は前記ブルートゥースに対する無線測定を行い、測定結果を含むＭＤＴ測定情報を記録する制御部と、前記ＭＤＴ測定情報を有することを示す可用性インジケータを前記ネットワークに送信した後、前記ネットワークからの要求に応じて前記ＭＤＴ測定情報を前記ネットワークに送信するセルラ送信部と、を備える。前記可用性インジケータは、前記ＭＤＴ測定情報を有することを示すだけではなく、前記ＷＬＡＮ及び／又は前記ブルートゥースに対する測定結果が前記ＭＤＴ測定情報に含まれることも示す。
【図面の簡単な説明】
【０００６】
【図１】実施形態に係るＬＴＥシステムの構成を示す図である。
【図２】実施形態に係るＵＥ（ユーザ装置）の構成を示す図である。
【図３】実施形態に係るｅＮＢ（基地局）の構成を示す図である。
【図４】実施形態に係るＬＴＥシステムにおける無線インターフェイスのプロトコルスタックの構成を示す図である。
【図５】実施形態に係るＬＴＥシステムの動作シナリオを示す図である。
【図６】第１実施形態に係るＵＥの動作フローを示す図である。
【図７】第２実施形態に係るｅＮＢ及びＵＥの動作フローを示す図である。
【発明を実施するための形態】
【０００７】
図面を参照して、本発明の実施形態を説明する。以下の実施形態に係る図面において、同一又は類似の部分には同一又は類似の符号を付す。
【０００８】
［第１実施形態］
（セルラ通信システム）
第１実施形態に係るセルラ通信システムの構成について説明する。図１は、第１実施形態に係るセルラ通信システムであるＬＴＥ（Ｌｏｎｇ  Ｔｅｒｍ  Ｅｖｏｌｕｔｉｏｎ）システムの構成を示す図である。ＬＴＥシステムは、３ＧＰＰ規格に基づくセルラ通信システムである。
【０００９】
ＬＴＥシステムは、ユーザ装置（ＵＥ：Ｕｓｅｒ  Ｅｑｕｉｐｍｅｎｔ）１００と、無線アクセスネットワーク（Ｅ−ＵＴＲＡＮ：Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、コアネットワーク（ＥＰＣ：Ｅｖｏｌｖｅｄ  Ｐａｃｋｅｔ  Ｃｏｒｅ）２０とを備える。Ｅ−ＵＴＲＡＮ１０及びＥＰＣ２０は、ＬＴＥシステムのネットワークであるＬＴＥネットワークを構成する。
【００１０】
ＵＥ１００は、移動型の通信装置である。ＵＥ１００は、自身が在圏するセル（サービングセル）を管理するｅＮＢ２００との無線通信を行う。第１実施形態において、ＵＥ１００は、ＬＴＥによるセルラ通信を行う機能に加えて、ＷＬＡＮ（Ｗｉｒｅｌｅｓｓ  Ｌｏｃａｌ  Ａｒｅａ  Ｎｅｔｗｏｒｋ）及び／又はブルートゥース（以下、「ＢＴ」と称する）による近距離無線通信を行う機能を有する。
【００１１】
Ｅ−ＵＴＲＡＮ１０は、基地局（ｅＮＢ：ｅｖｏｌｖｅｄ  Ｎｏｄｅ−Ｂ）２００を含む。ｅＮＢ２００は、Ｘ２インターフェイスを介して相互に接続される。ｅＮＢ２００は、１又は複数のセルを管理する。ｅＮＢ２００は、該ｅＮＢ２００が管理するセルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として用いられる。「セル」は、ＵＥ１００との無線通信を行う機能又はリソースを示す用語としても用いられる。１つのセルは１つのキャリア周波数に属する。
【００１２】
ＥＰＣ２０は、モビリティ管理エンティティ（ＭＭＥ）及びサービングゲートウェイ（Ｓ−ＧＷ）３００を含む。ＭＭＥは、ＵＥ１００に対する各種モビリティ制御等を行う。ＭＭＥは、ＮＡＳ（Ｎｏｎ−Ａｃｃｅｓｓ  Ｓｔｒａｔｕｍ）シグナリングを用いてＵＥ１００と通信することにより、ＵＥ１００が在圏するトラッキングエリア（ＴＡ）の情報を管理する。Ｓ−ＧＷは、データの転送制御を行う。ＭＭＥ及びＳ−ＧＷ３００は、Ｓ１インターフェイスを介してｅＮＢ２００と接続される。
【００１３】
図２は、ＵＥ１００（ユーザ装置）の構成を示す図である。ＵＥ１００は、ＷＬＡＮ／ＢＴ通信部１１０と、セルラ受信部１２０と、セルラ送信部１３０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信部１４０と、制御部１５０とを備える。
【００１４】
ＷＬＡＮ／ＢＴ通信部１１０は、制御部１５０の制御下でＷＬＡＮ及び／又はＢＴによる近距離無線通信を行う。ＷＬＡＮはＩＥＥＥ８０２．１１諸規格に相当し、ＢＴはＩＥＥＥ８０２．１５．１規格に相当する。ＷＬＡＮ／ＢＴ通信部１１０は、アンテナと送信機と受信機とを含む。受信機は、アンテナが受信するＷＬＡＮ／ＢＴ無線信号をベースバンド信号（受信信号）に変換して制御部１５０に出力する。送信機は、制御部１５０が出力するベースバンド信号（送信信号）をＷＬＡＮ／ＢＴ無線信号に変換してアンテナから送信する。
【００１５】
セルラ受信部１２０は、制御部１５０の制御下でＬＴＥ通信における各種の受信を行う。セルラ受信部１２０は、アンテナ及び受信機を含む。受信機は、アンテナが受信するＬＴＥ無線信号をベースバンド信号（受信信号）に変換して制御部１５０に出力する。
【００１６】
セルラ送信部１３０は、制御部１５０の制御下でＬＴＥ通信における各種の送信を行う。セルラ送信部１３０は、アンテナ及び送信機を含む。送信機は、制御部１５０が出力するベースバンド信号（送信信号）をＬＴＥ無線信号に変換してアンテナから送信する。
【００１７】
ＧＮＳＳ受信部１４０は、ＧＮＳＳ衛星からの信号を受信することにより、ＵＥ１００の地理的な位置を示すＧＮＳＳ位置情報を取得し、ＧＮＳＳ位置情報を制御部１５０に出力する。
【００１８】
制御部１５０は、ＵＥ１００における各種の制御を行う。制御部１５０は、少なくとも１つのプロセッサ及びメモリを含む。メモリは、プロセッサにより実行されるプログラム、及びプロセッサによる処理に用いられる情報を記憶する。プロセッサは、ベースバンドプロセッサと、ＣＰＵ（Ｃｅｎｔｒａｌ  Ｐｒｏｃｅｓｓｉｎｇ  Ｕｎｉｔ）と、を含んでもよい。ベースバンドプロセッサは、ベースバンド信号の変調・復調及び符号化・復号等を行う。ＣＰＵは、メモリに記憶されるプログラムを実行して各種の処理を行う。プロセッサは、後述する処理を実行する。
【００１９】
図３は、ｅＮＢ２００（基地局）の構成を示す図である。ｅＮＢ２００は、送信部（セルラ送信部）２１０と、受信部（セルラ受信部）２２０と、制御部２３０と、バックホール通信部２４０とを備える。
【００２０】
送信部２１０は、制御部２３０の制御下でＬＴＥ通信における各種の送信を行う。送信部２１０は、アンテナ及び送信機を含む。送信機は、制御部２３０が出力するベースバンド信号（送信信号）をＬＴＥ無線信号に変換してアンテナから送信する。
【００２１】
受信部２２０は、制御部２３０の制御下でＬＴＥ通信における各種の受信を行う。受信部２２０は、アンテナ及び受信機を含む。受信機は、アンテナが受信するＬＴＥ無線信号をベースバンド信号（受信信号）に変換して制御部２３０に出力する。
【００２２】
制御部２３０は、ｅＮＢ２００における各種の制御を行う。制御部２３０は、少なくとも１つのプロセッサ及びメモリを含む。メモリは、プロセッサにより実行されるプログラム、及びプロセッサによる処理に用いられる情報を記憶する。プロセッサは、ベースバンドプロセッサと、ＣＰＵと、を含んでもよい。ベースバンドプロセッサは、ベースバンド信号の変調・復調及び符号化・復号等を行う。ＣＰＵは、メモリに記憶されるプログラムを実行して各種の処理を行う。プロセッサは、後述する処理を実行する。
【００２３】
バックホール通信部２４０は、Ｘ２インターフェイスを介して隣接ｅＮＢと接続される。バックホール通信部２４０は、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に用いられる。
【００２４】
図４は、ＬＴＥシステムにおける無線インターフェイスのプロトコルスタックの構成を示す図である。図４に示すように、無線インターフェイスプロトコルは、ＯＳＩ参照モデルの第１レイヤ乃至第３レイヤに区分されている。第１レイヤは物理（ＰＨＹ）レイヤである。第２レイヤは、ＭＡＣ（Ｍｅｄｉｕｍ  Ａｃｃｅｓｓ  Ｃｏｎｔｒｏｌ）レイヤ、ＲＬＣ（Ｒａｄｉｏ  Ｌｉｎｋ  Ｃｏｎｔｒｏｌ）レイヤ、及びＰＤＣＰ（Ｐａｃｋｅｔ  Ｄａｔａ  Ｃｏｎｖｅｒｇｅｎｃｅ  Ｐｒｏｔｏｃｏｌ）レイヤを含む。第３レイヤは、ＲＲＣ（Ｒａｄｉｏ  Ｒｅｓｏｕｒｃｅ  Ｃｏｎｔｒｏｌ）レイヤを含む。ＰＨＹレイヤ、ＭＡＣレイヤ、ＲＬＣレイヤ、ＰＤＣＰレイヤ、及びＲＲＣレイヤは、ＡＳ（Ａｃｃｅｓｓ  Ｓｔｒａｔｕｍ）レイヤを構成する。
【００２５】
ＰＨＹレイヤは、符号化・復号、変調・復調、アンテナマッピング・デマッピング、及びリソースマッピング・デマッピングを行う。ＵＥ１００のＰＨＹレイヤとｅＮＢ２００のＰＨＹレイヤとの間では、物理チャネルを介してデータ及び制御情報が伝送される。
【００２６】
ＭＡＣレイヤは、データの優先制御、ハイブリッドＡＲＱ（ＨＡＲＱ）による再送処理、及びランダムアクセスプロシージャ等を行う。ＵＥ１００のＭＡＣレイヤとｅＮＢ２００のＭＡＣレイヤとの間では、トランスポートチャネルを介してデータ及び制御情報が伝送される。ｅＮＢ２００のＭＡＣレイヤはスケジューラを含む。スケジューラは、上下リンクのトランスポートフォーマット（トランスポートブロックサイズ、変調・符号化方式（ＭＣＳ））及びＵＥ１００への割当リソースブロックを決定する。
【００２７】
ＲＬＣレイヤは、ＭＡＣレイヤ及びＰＨＹレイヤの機能を利用してデータを受信側のＲＬＣレイヤに伝送する。ＵＥ１００のＲＬＣレイヤとｅＮＢ２００のＲＬＣレイヤとの間では、論理チャネルを介してデータ及び制御情報が伝送される。
【００２８】
ＰＤＣＰレイヤは、ヘッダ圧縮・伸張、及び暗号化・復号化を行う。
【００２９】
ＲＲＣレイヤは、制御情報を取り扱う制御プレーンでのみ定義される。ＵＥ１００のＲＲＣレイヤとｅＮＢ２００のＲＲＣレイヤとの間では、各種設定のためのＲＲＣシグナリングが伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモードである。ＵＥ１００のＲＲＣとｅＮＢ２００のＲＲＣとの間に接続（ＲＲＣ接続）がない場合、ＵＥ１００はＲＲＣアイドルモードである。
【００３０】
ＲＲＣレイヤの上位に位置するＮＡＳレイヤは、セッション管理及びモビリティ管理等を行う。ＵＥ１００のＮＡＳレイヤとＭＭＥ３００ＣのＮＡＳレイヤとの間では、ＮＡＳシグナリングが伝送される。ＵＥ１００は、無線インターフェイスのプロトコル以外にアプリケーションレイヤ等の機能を有する。
【００３１】
（第１実施形態に係る動作シナリオ）
図５は、第１実施形態に係るＬＴＥシステムの動作シナリオを示す図である。第１実施形態においては、ＭＤＴ技術を用いてＷＬＡＮ及び／又はＢＴに対する測定結果を収集するシナリオを想定する。
【００３２】
図５に示すように、ＵＥ１００は屋内に位置している。また、ＷＬＡＮ  ＡＰ５００及びＢＴノード６００が屋内に設置されている。ＵＥ１００は、屋内においてＷＬＡＮ  ＡＰ５００及び／又はＢＴノード６００との通信を行うことにより、ｅＮＢ２００の負荷を削減するとともに、通信の高速化を図ることができる。
【００３３】
ｅＮＢ２００は、ＭＤＴ測定を設定する設定メッセージをＵＥ１００に送信する。また、ｅＮＢ２００は、ＵＥ１００からＭＤＴ測定情報を収集する。ｅＮＢ２００は、ＭＤＴサーバ４００と直接的に又は間接的に接続される。ＭＤＴサーバ４００は、ｅＮＢ２００からＭＤＴ測定情報を取得し、ＭＤＴ測定情報に基づいて、カバレッジの最適化を含むネットワーク最適化を行う。
【００３４】
ＭＤＴには、イミディエイトＭＤＴ及びログドＭＤＴの２種類がある。イミディエイトＭＤＴは、ＲＲＣコネクティッドモードのＵＥ１００が無線測定を行い、測定結果とＵＥ位置情報とを含む測定報告をＬＴＥネットワーク（ｅＮＢ２００）に送信するものである。イミディエイトＭＤＴを設定する設定メッセージは、ＵＥ位置情報を測定報告に含めることを要求する情報要素を含む測定設定メッセージであってもよい。イミディエイトＭＤＴにおいて、測定結果とＵＥ位置情報とを含む測定報告は、ＭＤＴ測定情報に相当する。
【００３５】
ログドＭＤＴは、ＲＲＣアイドルモード又はＲＲＣコネクティッドモードのＵＥ１００が無線測定を行い、測定結果をＵＥ位置情報及びタイムスタンプと共に記録し、記録したログ情報（測定ログ）をＬＴＥネットワーク（ｅＮＢ２００）からの要求に応じて送信するものである。ログドＭＤＴにおいて、ログ情報（測定ログ）は、ＭＤＴ測定情報に相当する。
【００３６】
ここでは、ＬＴＥシステムにおける一般的なＲＲＣアイドルモードのＬｏｇｇｅｄ  ＭＤＴ（Ｌｏｇｇｅｄ  ＭＤＴ  ｉｎ  Ｉｄｌｅ）について説明する。Ｌｏｇｇｅｄ  ＭＤＴは、ＭＤＴ測定設定（Ｍｅｓｕｒｅｍｅｎｔ  ｃｏｎｆｉｇｕｒａｔｉｏｎ）、ＭＤＴ測定（Ｍｅａｓｕｒｅｍｅｎｔ  ｃｏｌｌｅｃｔｉｏｎ）、及び測定結果報告（Ｍｅａｓｕｒｅｍｅｎｔ  ｒｅｐｏｒｔｉｎｇ）の各処理を含む。
【００３７】
第１に、ＭＤＴ測定設定では、ＲＲＣコネクティッドモードにあるＵＥ１００は、ＬＴＥネットワークからＭＤＴ設定メッセージ（Ｌｏｇｇｅｄ  Ｍｅａｓｕｒｅｍｅｎｔ  Ｃｏｎｆｉｇｕｒａｔｉｏｎメッセージ）を受信し、ＭＤＴ設定メッセージに含まれる各種のＭＤＴ設定パラメータを記憶する。ＭＤＴ設定パラメータは、ロギングイベント、ロギング期間、ネットワーク絶対時間などを含む。ここでロギングとは、無線環境を測定して測定結果を記憶する一連の動作を意味する。また、ロギングイベントとは、ロギングを行うべきイベントである。現状、周期的なロギングが規定されており、ロギング周期が指定される。ロギング期間とは、ロギングを行うべき期間であって、ＭＤＴ測定設定が行われてからＭＤＴ測定を終了するまでの期間が指定される。ネットワーク絶対時間は、無線環境の測定結果に付加するタイムスタンプの基準となる時間である。
【００３８】
第２に、ＭＤＴ測定では、ＲＲＣアイドルモードにあるＵＥ１００は、ＭＤＴ設定パラメータ（Ｃｏｎｆｉｇｕｒａｔｉｏｎ）に従ってロギングを行う。ＵＥ１００は、ロギングイベントに対応するイベントが発生した際に、サービングセル（及び隣接セル）について無線環境を測定する。無線環境とは、例えば参照信号受信電力（ＲＳＲＰ）及び参照信号受信品質（ＲＳＲＱ）である。
【００３９】
ＵＥ１００は、測定結果を位置情報及びタイムスタンプと共に記憶する。測定結果、位置情報、及びタイムスタンプの組み合わせは測定ログと称される。ＵＥ１００は、ロギング期間が満了すると、ＭＤＴ測定を終了し、測定結果（測定ログ）を保持すべき期間（仕様上、４８時間）を規定するタイマを起動する。
【００４０】
第３に、測定結果報告では、ＵＥ１００は、ＲＲＣアイドルモードからＲＲＣコネクティッドモードに遷移する際又はハンドオーバの際などにおいて、測定結果を保持していることを示す可用性インジケータをＵＥ１００からＬＴＥネットワークに送信する。ＬＴＥネットワーク（ｅＮＢ２００）は、可用性インジケータに基づいて、測定結果の送信（報告）をＵＥ１００に要求する。ＵＥ１００は、ＬＴＥネットワークからの要求に応じて、測定結果（測定ログ）をＬＴＥネットワークに送信する。
【００４１】
（第１実施形態に係る動作フロー）
図６は、第１実施形態に係るＵＥ１００の動作フローを示す図である。
【００４２】
図６に示すように、ステップＳ１０１において、ＵＥ１００（セルラ受信部１２０）は、ＬＴＥネットワークから送信され、ＬＴＥシステムを測定対象とするＭＤＴ測定を設定する設定メッセージを受信する。設定メッセージは、イミディエイトＭＤＴを設定するものであってもよいし、ログドＭＤＴを設定するものであってもよい。但し、第１実施形態に係る設定メッセージは、ＷＬＡＮ及び／又はＢＴを測定対象として設定しない。例えば、設定メッセージは、ＷＬＡＮ／ＢＴに対するＲＳＳＩ（Ｒｅｃｅｉｖｅｄ  Ｓｉｇｎａｌ  Ｓｔｒｅｎｇｔｈ  Ｉｎｄｉｃａｔｏｒ）測定を設定する情報要素、及び／又はＷＬＡＮ／ＢＴの周波数帯（アンライセンスドバンド）を測定対象とする情報要素を含まない。
【００４３】
ステップＳ１０２において、ＵＥ１００（制御部１５０）は、セルラ無線測定を実行する。例えば、ＵＥ１００（制御部１５０）は、ＬＴＥネットワークのサービングセル（及び隣接セル）についてＲＳＲＰ及びＲＳＲＱを測定する。
【００４４】
ステップＳ１０３において、ＵＥ１００（制御部１５０）は、ＧＮＳＳ位置情報を取得可能か否か判断する。例えば、ＵＥ１００（制御部１５０）は、ＧＮＳＳ受信部１４０がオン状態であって、かつ、ＧＮＳＳ信号の受信レベルが閾値以上である場合に、ＧＮＳＳ位置情報を取得可能であると判断してもよい。ＵＥ１００（制御部１５０）は、ＧＮＳＳ受信部１４０がオン状態であって、かつ、ＧＮＳＳ信号の受信レベルが閾値未満である場合に、ＧＮＳＳ位置情報を取得不能であると判断してもよい。ＵＥ１００（制御部１５０）は、ＧＮＳＳ受信部１４０がオフ状態である場合に、ＧＮＳＳ位置情報を取得不能であると判断してもよい。
【００４５】
ＧＮＳＳ位置情報を取得可能である場合（ステップＳ１０３：ＹＥＳ）、ステップＳ１０４において、ＵＥ１００（制御部１５０）は、ＧＮＳＳ位置情報を取得する。そして、ＵＥ１００（制御部１５０）は、ステップＳ１０２で取得したセルラ測定結果と、ＧＮＳＳ位置情報とを含むＭＤＴ測定情報（測定報告又は測定ログ）を生成する。その後、ステップＳ１０９において、ＵＥ１００（セルラ送信部１３０）は、かかるＭＤＴ測定情報をｅＮＢ２００に送信する。ログドＭＤＴの場合、ＵＥ１００（セルラ送信部１３０）は、可用性インジケータを送信した後、ｅＮＢ２００からの要求に応じて測定ログを送信する。
【００４６】
一方、ＧＮＳＳ位置情報を取得不能である場合（ステップＳ１０３：ＮＯ）、ステップＳ１０６において、ＵＥ１００（制御部１５０）は、ＷＬＡＮ及び／又はＢＴに対する測定結果を利用可能であるか否か判断する。例えば、ＵＥ１００（制御部１５０）は、ＷＬＡＮ／ＢＴ通信部１１０がオン状態であって、ＷＬＡＮ無線信号（ＷＬＡＮビーコン）又はＢＴ無線信号（ＢＴビーコン）のＲＳＳＩが閾値以上である場合に、ＷＬＡＮ及び／又はＢＴに対する測定結果を利用可能であると判断してもよい。
【００４７】
ＷＬＡＮ及び／又はＢＴに対する測定結果を利用可能である場合（ステップＳ１０６：ＹＥＳ）、ステップＳ１０７において、ＵＥ１００（制御部１５０）は、ＷＬＡＮ及び／又はＢＴに対する測定結果を取得する。かかる測定結果（ＷＬＡＮ／ＢＴ測定結果）は、ＷＬＡＮ無線信号又はＢＴ無線信号に含まれる送信元識別子（ＷＬＡＮ識別子又はＢＴ識別子）とＲＳＳＩとの組合せを含む。ＵＥ１００（制御部１５０）は、ＷＬＡＮ及び／又はＢＴに対する測定を複数回行って複数の測定結果を取得してもよい。そして、ＵＥ１００（制御部１５０）は、ステップＳ１０２で取得したセルラ測定結果と、ＷＬＡＮ／ＢＴ測定結果とを含むＭＤＴ測定情報（測定報告又は測定ログ）を生成する。ＵＥ１００（制御部１５０）は、複数のＷＬＡＮ／ＢＴ測定結果をＭＤＴ測定情報に含めてもよい。また、ＭＤＴ測定情報に含めることが可能なＷＬＡＮ測定結果の上限数及び／又はＭＤＴ測定情報に含めることが可能なＢＴ測定結果の上限数が規定さていてもよい。その後、ステップＳ１０９において、ＵＥ１００（セルラ送信部１３０）は、かかるＭＤＴ測定情報をｅＮＢ２００に送信する。ログドＭＤＴの場合、ＵＥ１００（セルラ送信部１３０）は、可用性インジケータを送信した後、ｅＮＢ２００からの要求に応じて測定ログを送信する。
【００４８】
ＷＬＡＮ及び／又はＢＴに対する測定結果を利用可能ではない場合（ステップＳ１０６：ＮＯ）、ＵＥ１００（制御部１５０）は、ステップＳ１０２で取得したセルラ測定結果を含むＭＤＴ測定情報（測定報告又は測定ログ）を生成する。かかる場合、セルラ測定結果を位置情報（ＲＦフィンガープリント）として用いてもよい。その後、ステップＳ１０９において、ＵＥ１００（セルラ送信部１３０）は、かかるＭＤＴ測定情報をｅＮＢ２００に送信する。ログドＭＤＴの場合、ＵＥ１００（セルラ送信部１３０）は、可用性インジケータを送信した後、ｅＮＢ２００からの要求に応じて測定ログを送信する。
【００４９】
（第１実施形態のまとめ）
第１実施形態において、ＵＥ１００（セルラ受信部１２０）は、ＬＴＥシステムのネットワーク（ＬＴＥネットワーク）から送信され、ＬＴＥシステムを測定対象とするＭＤＴ測定を設定する設定メッセージを受信する。ＵＥ１００（制御部１５０）は、設定メッセージに基づいてＬＴＥシステムに対する無線測定を行う。ＵＥ１００（制御部１５０）は、ＷＬＡＮ及び／又はＢＴに対する測定結果を利用可能である場合には、ＷＬＡＮ及び／又はＢＴに対する測定結果をＭＤＴ測定情報に含める。
【００５０】
具体的には、ＵＥ１００（制御部１５０）は、ＧＮＳＳ位置情報を取得不能であり、かつ、ＷＬＡＮ及び／又はＢＴに対する測定結果を利用可能である場合には、ＷＬＡＮ及び／又はＢＴに対する測定結果をＭＤＴ測定情報に含める。これにより、例えば屋内においてＧＮＳＳを受信不能又は受信状態が極めて悪いような場合に、ＷＬＡＮ及び／又はＢＴに対する測定結果を位置情報（ＲＦフィンガープリント）として用いることができる。よって、ＬＴＥネットワーク（ＭＤＴサーバ４００）は、ＵＥ１００の地理的な位置を精度よく把握できる。また、ＧＮＳＳを受信不能又は受信状態が極めて悪いような場合には、ＵＥ１００が屋内にあるとみなすことができる。かかる場合に、ＷＬＡＮ及び／又はＢＴに対する測定結果をＭＤＴ測定情報に含めることにより、ＬＴＥネットワーク（ＭＤＴサーバ４００）は、屋内におけるＷＬＡＮ及び／又はＢＴのカバレッジ状況を把握し、ＷＬＡＮ及び／又はＢＴのカバレッジ最適化を図ることが可能になる。
【００５１】
第１実施形態において、ＵＥ１００（制御部１５０）は、設定メッセージがＷＬＡＮ及び／又はＢＴを測定対象として設定しない場合であっても、ＷＬＡＮ及び／又はＢＴに対する測定結果を利用可能である場合には、ＷＬＡＮ及び／又はＢＴに対する測定結果を自律的にＭＤＴ測定情報に含める。これにより、例えばＵＥ１００が屋内に入ることをＬＴＥネットワークが予測できないような場合であっても、ＵＥ１００がＷＬＡＮ及び／又はＢＴに対する測定結果を自律的にＭＤＴ測定情報に含めることにより、ＬＴＥネットワーク（ＭＤＴサーバ４００）がＷＬＡＮ及び／又はＢＴに対する測定結果を収集することが可能になる。
【００５２】
［第２実施形態］
第２実施形態について、第１実施形態との相違点を主として説明する。第２実施形態に係る動作シナリオは、第１実施形態と同様である。但し、第２実施形態は、ログドＭＤＴに限定した実施形態である。また、第２実施形態において、設定メッセージは、ＷＬＡＮ及び／又はＢＴを測定対象として設定し、かつ、ＬＴＥシステムを測定対象としないものであってもよい。
【００５３】
（第２実施形態に係る動作フロー）
図７は、第２実施形態に係るｅＮＢ２００及びＵＥ１００の動作フローを示す図である。ここでは、設定メッセージがＷＬＡＮを測定対象として設定する一例を説明する。但し、ＷＬＡＮに加えて又はＷＬＡＮに代えてＢＴを測定対象としてもよい。
【００５４】
図７に示すように、ステップＳ２０１において、ｅＮＢ２００は、ＷＬＡＮを測定対象とするログドＭＤＴを設定する設定メッセージ（Ｌｏｇｇｅｄ  Ｍｅａｓｕｒｅｍｅｎｔ  Ｃｏｎｆｉｇｕｒａｔｉｏｎ）をユニキャストでＵＥ１００に送信する。例えば、設定メッセージ（Ｌｏｇｇｅｄ  Ｍｅａｓｕｒｅｍｅｎｔ  Ｃｏｎｆｉｇｕｒａｔｉｏｎ）は、ＷＬＡＮに対するＲＳＳＩ測定を設定する情報要素、及び／又はＷＬＡＮの周波数帯（アンライセンスドバンド）を測定対象とする情報要素を含む。ＵＥ１００は、設定メッセージ（Ｌｏｇｇｅｄ  Ｍｅａｓｕｒｅｍｅｎｔ  Ｃｏｎｆｉｇｕｒａｔｉｏｎ）を受信する。
【００５５】
ステップＳ２０２において、ｅＮＢ２００は、識別子リストを含むシステム情報ブロックをブロードキャストで送信する。識別子リストは、１又は複数のＷＬＡＮ識別子を含む。システム情報ブロックは、ＬＴＥシステムとＷＬＡＮとの間のトラフィックステアリングに関するシステム情報ブロック・タイプ１７（ＳＩＢ１７）であってもよい。ＳＩＢ１７中のＷＬＡＮ識別子は、ＬＴＥネットワーク（セルラのオペレータ）の管理下にあるＷＬＡＮ  ＡＰを示している。ＵＥ１００は、ＳＩＢ１７を受信する。
【００５６】
ステップＳ２０３において、ＵＥ１００は、ＳＩＢ１７中のＷＬＡＮ識別子に限定してＷＬＡＮ測定を行う。例えば、ＵＥ１００は、設定メッセージ（Ｌｏｇｇｅｄ  Ｍｅａｓｕｒｅｍｅｎｔ  Ｃｏｎｆｉｇｕｒａｔｉｏｎ）により設定された周波数において、ＳＩＢ１７中のＷＬＡＮ識別子を有するＷＬＡＮ無線信号のみをサーチし、検出したＷＬＡＮ無線信号のＲＳＳＩを測定する。
【００５７】
ステップＳ２０４において、ＵＥ１００は、ＵＥ位置情報を取得してもよい。ＵＥ位置情報は、ＢＴ測定結果、及び／又は、ステップＳ２０３で測定していないＷＬＡＮに対する測定結果であってもよい。但し、ステップＳ２０３でＷＬＡＮ測定結果が得られているため、ネットワークは、ＷＬＡＮ測定結果に対応するＷＬＡＮ  ＡＰの近くにＵＥ１００が存在することを把握できる。よって、ステップＳ２０４におけるＵＥ位置情報の取得を省略可能である。そして、ＵＥ１００は、ＷＬＡＮ測定結果（ＷＬＡＮ識別子及びＲＳＳＩ）とＵＥ位置情報とを含む測定ログを記録する。なお、ステップＳ２０３及びＳ２０４の処理は、ＲＲＣアイドルモードで行われてもよいし、ＲＲＣコネクティッドモードで行われてもよい。
【００５８】
ＵＥ１００（セルラ送信部１３０）は、ＭＤＴ測定情報（測定ログ）を有することを示す可用性インジケータをｅＮＢ２００に送信する。ここで、可用性インジケータは、測定ログを有することを示すだけではなく、ＷＬＡＮ測定結果が測定ログに含まれることも示す。例えば、第２実施形態に係る可用性インジケータは、一般的なＲＲＣアイドルモードのＬｏｇｇｅｄ  ＭＤＴの可用性インジケータとは異なる情報要素として規定される。或いは、第２実施形態に係る可用性インジケータは、一般的なＲＲＣアイドルモードのＬｏｇｇｅｄ  ＭＤＴの可用性インジケータに対して、ＷＬＡＮ測定結果が測定ログに含まれることも示すフラグが追加されたものであってもよい。
【００５９】
ｅＮＢ２００は、ＵＥ１００から受信した可用性インジケータに基づいて、ＵＥ１００から測定ログを取得するか否かを判断する。ここでは、ｅＮＢ２００が測定ログを取得すると判断したと仮定して説明を進める。
【００６０】
ステップＳ２０６において、ｅＮＢ２００は、測定ログの送信要求（ＵＥ  Ｉｎｆｏｒｍａｔｉｏｎ  Ｒｅｑｕｅｓｔ）をＵＥ１００に送信する。
【００６１】
ステップＳ２０７において、ＵＥ１００は、送信要求（ＵＥ  Ｉｎｆｏｒｍａｔｉｏｎ  Ｒｅｑｕｅｓｔ）の受信に応じて、測定ログを含むメッセージ（ＵＥ  Ｉｎｆｏｒｍａｔｉｏｎ  Ｒｅｓｐｏｎｓｅ）をｅＮＢ２００に送信する。
【００６２】
（第２実施形態のまとめ）
第２実施形態において、ＵＥ１００（セルラ受信部１２０）は、ＬＴＥネットワークのセルにおいてブロードキャストで送信され、識別子リストを含むシステム情報ブロックを受信する。識別子リストは、１又は複数のＷＬＡＮ識別子及び／又は１又は複数のＢＴ識別子を含む。ＵＥ１００（制御部１５０）は、識別子リスト中の識別子に限定してＷＬＡＮ及び／又はＢＴに対する無線測定を行う。これにより、ＵＥ１００が全サーチによりＷＬＡＮ及び／又はＢＴを検出する場合に比べて、セル内に位置するＷＬＡＮ  ＡＰ及び／又はＢＴノードを効率的に検出して測定可能になる。また、識別子リスト中の識別子は、ＬＴＥネットワーク（セルラのオペレータ）の管理下にあるＷＬＡＮ  ＡＰ及び／又はＢＴノードを示している。よって、カバレッジ最適化の対象となるＷＬＡＮ  ＡＰ及び／又はＢＴノードの測定結果のみを効率的に収集できる。
【００６３】
第２実施形態において、ＵＥ１００（セルラ送信部１３０）は、ＭＤＴ測定情報を有することを示す可用性インジケータをＬＴＥネットワークに送信した後、ＬＴＥネットワークからの要求に応じてＭＤＴ測定情報をＬＴＥネットワークに送信する。可用性インジケータは、ＭＤＴ測定情報を有することを示すだけではなく、ＷＬＡＮ及び／又はＢＴに対する測定結果がＭＤＴ測定情報に含まれることも示す。これにより、ＬＴＥネットワーク（ｅＮＢ２００）は、ＷＬＡＮ及び／又はＢＴに対する測定結果の有無に基づいて、ＭＤＴ測定情報の送信（報告）をＵＥ１００に要求するか否かを判断できる。よって、ＷＬＡＮ及び／又はＢＴに対する測定結果を効率的に収集できる。
【００６４】
［その他の実施形態］
第２実施形態において、ＵＥ１００が、ＳＩＢ１７中のＷＬＡＮ識別子に限定してＷＬＡＮ測定を行い（ステップＳ２０３）、その後、ＵＥ位置情報を取得する（ステップＳ２０４）という動作例を説明した。しかしながら、ステップＳ２０３において対象となるＷＬＡＮの測定が不可である場合には、かかるタイミングにおけるステップＳ２０４の動作を省略してもよい。
【００６５】
上述した実施形態において、セルラ通信システムとしてＬＴＥシステムを例示した。しかしながら、本発明はＬＴＥシステムに限定されない。ＬＴＥシステム以外のセルラ通信システム（例えば、第５世代セルラ通信システム）に、上述した実施形態に係る動作を適用してもよい。
【００６６】
上述した実施形態において、ブルートゥースを例示したが、ブルートゥースのバージョンについて特に触れなかった。しかしながら、ブルートゥースの様々なバージョン、例えば、ブルートゥースローエナジー（ＢＬＥ）を利用可能である。
【００６７】
ＵＥ１００及びｅＮＢ２００が行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。ＵＥ１００及びｅＮＢ２００が行う各処理を実行するためのプログラムを記憶するメモリ及びメモリに記憶されたプログラムを実行するプロセッサによって構成されるチップセットが提供されてもよい。
【００６８】
[付記]
（１．導入）
ＢＴおよびＷＬＡＮネットワークのカバレッジパフォーマンスを監視および評価するために、および関連する他のＭＤＴ測定のためのロケーション情報を提供するために、ＭＤＴにおいてＢｌｕｅｔｏｏｔｈ  （  ＢＴ  ）およびＷＬＡＮ測定収集を導入する。この付記では、上記の目的を満たすための可能な解決策を議論する。
【００６９】
（２．議論）
ＭＤＴにおいてＢＴおよびＷＬＡＮ測定収集を導入することが合意された。ＷＬＡＮ／ＢＴ  ＭＤＴが有用である場合、２つの異なるシナリオがある：
シナリオ１：屋内パフォーマンスを評価するためのＷＬＡＮ測定
シナリオ２：関連する他のＭＤＴ測定のための位置情報を提供するためのＷＬＡＮ／ＢＴ測定
シナリオ１について、ＷＬＡＮ測定結果は、屋内パフォーマンス改善のために使用されると理解した。一方、ＷＬＡＮ／ＢＴの測定結果は、シナリオ２における詳細な位置情報としてのみ使用される。したがって、ＵＥの挙動は、要件が異なるので、２つのシナリオ間で同じである必要はないので、それらは別々に議論されるべきであると考える。例えば、ＢＴ測定結果は、シナリオ１の屋内パフォーマンスを評価するのに有用ではないと考える。両方のシナリオについて共通のソリューションを有することが理想的であり得るが、ＲＡＮ  ２は、共通の解が実行可能であるかどうかについてのさらなる説明の前に、最初にシナリオを検討すべきである。
【００７０】
提案１：ＲＡＮ  ２は、シナリオ１およびシナリオ２を別々に議論するべきである。
【００７１】
ＵＥの電力消費は、特にＭＤＴの場合、常に問題であるので、ＵＥは、ＷＬＡＮおよびＢＴ測定が利用可能でない場合、ＷＬＡＮおよびＢＴ測定を報告／ログするために必要とされるべきではない。言い換えれば、ＷＬＡＮ／ＢＴ  ＭＤＴが設定されていても、ＵＥがオンにされない場合、ＵＥはＷＬＡＮ  ／  ＢＴを測定する必要がない。
【００７２】
提案２：ＷＬＡＮ／ＢＴ  ＭＤＴが設定されていても、ＵＥがオンにされない場合、ＵＥはＷＬＡＮ／ＢＴを測定する必要がない。
【００７３】
（２．１．屋内パフォーマンスを評価するためのＷＬＡＮ測定（シナリオ１））
ＭＤＴは、リリース１０に導入され、その後のリリースで強化される。現在３つのＭＤＴメカニズム、すなわちＩｍｍｅｄｉａｔｅ  ＭＤＴ、Ｌｏｇｇｅｄ  ＭＤＴ  ｉｎ  ＩＤＬＥ、及びＬｏｇｇｅｄ  ＭＤＴ  ｉｎ  ＣＯＮＮ／ＩＤＬＥは、標準化される。標準化作業を削減するために、既存のメカニズムは可能な限り再利用されるべきである。次に、ＲＡＮ  ２は、このシナリオをベースラインメカニズムとして採用すべきかについて検討すべきである。ＷＬＡＮ通信がＲＲＣ状態にかかわらず発生するので、ＩＤＬＥモードとＣＯＮＮモードの両方における測定が必要とされると考える。したがって、ＲＡＮ  ２がＬｏｇｇｅｄ  ＭＤＴ  ｉｎ  ＩＤＬＥを選択する場合、Ｉｍｍｅｄｉａｔｅ  ＭＤＴもＲｅｌ  ?  １０と同様に必要とされる。したがって、可能な代替案は以下の通りである：
ＡＬＴ  １：Ｉｍｍｅｄｉａｔｅ  ＭＤＴとＬｏｇｇｅｄ  ＭＤＴ  ｉｎ  ＩＤＬＥとの組み合わせ
ＡＬＴ  ２：Ｌｏｇｇｅｄ  ＭＤＴ  ｉｎ  ＣＯＮＮ／ＩＤＬＥ（ＭＢＳＦＮ  ＭＤＴのために標準化された）
ＩＤＬＥとＣＯＮＮのために同じ設定を一度ＵＥに提供でき、両方のモードに適用できるため、Ａｌｔ  ２はＡｌｔ  １よりも単純であると考える。ＮＷはＣＯＮＮとＩＤＬＥに別々のＴＣＥデータを提供する必要がないので、データの取り出しもよりクリーンである。したがって、Ｌｏｇｇｅｄ  ＭＤＴ  ｉｎ  ＣＯＮＮ／ＩＤＬＥスキーム（ＭＢＳＦＮ  ＭＤＴのために標準化された）を提案し、屋内パフォーマンスを評価するためにＷＬＡＮ測定に適用されるべきである。
【００７４】
提案３：ＭＤＴにおけるＷＬＡＮ測定収集のためには、ＩＤＬＥモードとＣＯＮＮモードの両方における測定が必要とされる。
【００７５】
提案４：ＷＬＡＮの屋内パフォーマンスを評価するために、Ｌｏｇｇｅｄ  ＭＤＴ  ｉｎ  ＣＯＮＮ／ＩＤＬＥスキームが適用されるべきである。
【００７６】
ＷＬＡＮ測定結果をログに含めるために、「屋内パフォーマンスを評価するためのＷＬＡＮ測定」のオプションインディケーションが、ＬｏｇｇｅｄＭｅａｓｕｒｅｍｅｎｔＣｏｎｆｉｇｕｒａｔｉｏｎに導入されるべきである。このインディケーションが設定され、ＷＬＡＮ測定が利用可能である場合、ＵＥは、ＷＬＡＮ  ＲＳＳＩを測定することができ、設定されたロギングエリアおよび持続時間内にある限り、それらをログする。１つのロギング・セッション内のログに含めることができるＷＬＡＮ  ＡＰの最大数に制限がある必要がある場合にさらに検討することができる。
【００７７】
別の関連する問題は、ロギングのためにＷＬＡＮ  ＡＰのタイプの制限が必要である場合である。「屋内パフォーマンスを評価する」という目的を達成するために、オペレータによって展開されたＷＬＡＮ  ＡＰの測定結果をログするのに十分であると理解している。また、ＵＥがオペレータによって展開されないＷＬＡＮ  ＡＰの測定結果をログに含める場合、ログのサイズが６４ｋＢを超えるとＵＥはロギングを継続する必要がないため、ロギングの機会が減少する可能性がある。
【００７８】
ロギング制限を達成する１つの方法は、ＮＷが、ＷＬＡＮ  ＡＰ情報をＬｏｇｇｅｄＭｅａｓｕｒｅｍｅｎｔＣｏｎｆｉｇｕｒａｔｉｏｎに提供することである。しかしながら、Ｌｏｇｇｅｄ  ＭＤＴを構成するセルは、ＷＬＡＮ測定が実行されるセルとは異なり得るので、ＵＥは、異なるセルからのＷＬＡＮ  ＡＰ間に何らかの共通性がない限り、ＷＬＡＮ  ＡＰ測定ログを収集するという保証はない。別の方法は、ＷＬＡＮインターワーキングのために標準化されるブロードキャスト信号を再利用することである。すなわち、ＳＩＢ  １７がブロードキャストされる場合、ＵＥがセルからセルへ移動するときにＵＥがオペレータのＷＬＡＮ  ＡＰの設定を取得でき、ＵＥがＳＩＢ  １７によって通知されるＷＬＡＮ  ＡＰの測定結果のみを含む。しかしながら、このソリューションは、ＷＬＡＮインターワーキングが導入されるＮＷにのみ利用可能である。よって、この情報は、別のＳＩＢまたは新しいＳＩＢにおいて利用可能である必要がある場合にさらに考慮され得る。
【００７９】
提案５：ＲＡＮ  ２は、屋内パフォーマンスを評価するためにＷＬＡＮ  ＡＰのロギングの制限が必要であるかどうかを検討すべきである。
【００８０】
Ｌｏｇｇｅｄ  ＭＤＴがＷＬＡＮ測定のためにサポートされると仮定すると、ログログは、ＵＥがＭＢＭＳサービスを受信しているときにのみ実行されるＭＢＳＦＮ  ＭＤＴの場合と同様に、ロギングが周期的に実行されるべきかどうかも考慮されるべきである。ＷＬＡＮ信号の受信は、ＭＢＭＳサービスの受信と同じではないので、ＷＬＡＮ  ＡＰが存在するときのみに測定をログするようにＵＥを設定することは困難であろう。したがって、測定は、ＭＤＴキャンペーンの継続時間のための周期的な測定を用いて、Ｌｏｇｇｅｄ  ＭＤＴのためのＲｅｌ?１０  ＭＤＴ原理に従うべきである。したがって、ＵＥのＷＬＡＮ無線がオンになっている限り、ＵＥはＭＤＴキャンペーンの間、周期的にＷＬＡＮビーコン信号の測定を試みる必要がある。
【００８１】
提案６：ＵＥは、ＭＤＴキャンペーンの継続時間について周期的にＷＬＡＮビーコン信号を測定しようと試みるべきである。ＷＬＡＮのためのＬｏｇｇｅｄ  ＭＤＴ測定は、ＭＤＴキャンペーンの持続時間の間周期的に実行されるべきである。
【００８２】
Ｌｏｇｇｅｄ  ＭＤＴがＷＬＡＮ測定のためにサポートされ、ロギングが提案６のように周期的に実行されると仮定すると、ＵＥが、ＷＬＡＮまたはＢＴ信号がログされているかを示すインディケーションをｅＮＢに提供するべきかどうかも考慮されるべきである。ほとんどの状況において、ｅＮＢは、ＭＤＴキャンペーンの期間中にＵＥがＷＬＡＮ／ＢＴに近接するかどうかを知らずに、ダウンリンクパイロット強度測定に加えてＷＬＡＮ／ＢＴ測定を含むようにＵＥを設定する。したがって、場合によっては、ＵＥは、ダウンリンクパイロット強度測定に関連付けられたログのみを有し得る。しかしながら、目的は、Ｒｅｌ  ?  １０からのダウンリンクパイロット強度測定だけでなく、ＷＬＡＮ信号に関連する情報を収集することである。このキャンペーンを意図していない測定報告をｅＮＢが収集するのを防ぐために、以下の２つのオプションのうちの１つが考慮されるべきであると考える。
【００８３】
ＯＰＴ  １：ＷＬＡＮ測定がログされていない場合、ＵＥは、可用性インジケータをｅＮＢに送信しない。
【００８４】
ＯＰＴ  ２：ＵＥは、可用性インジケータ内に、ＷＬＡＮ測定値がログされているかどうかの指示を含む。
【００８５】
ＯＰＴ  １では、ＵＥは、ログがＮＷに有用であるかどうかの決定を行っている。このようなログが依然として有用であることが後に決定された場合、ＮＷは、ログを取り出すオプションを有していない。ＯＰＴ  ２では、可用性インジケータがいつ送信されるべきであるかに関して、ＵＥの挙動は既存のＭＤＴと同じままであり、この観点からＯｐｔ  ２が好ましいと考える。
【００８６】
提案７：ＵＥは、可用性インジケータ内に、ＷＬＡＮ測定がログされているかどうかのインジケータを含む。
【００８７】
（２．２．関連する他のＭＤＴ測定のための位置情報を提供するためのＷＬＡＮ／ＢＴ測定（シナリオ２））
このシナリオでは、ＷＬＡＮ／ＢＴ測定は位置情報のソースとして使用され得る。屋内ＵＥにとって、ＷＬＡＮ／ＢＴ  ＲＦフィンガープリントは、利用可能であればＧＮＳＳよりも信頼性が高いかもしれない。ただし、屋外のＵＥでは、通常屋内にいるため、ＷＬＡＮ／ＢＴ  ＲＦフィンガープリントはそれほど役に立たない。さらに、ＧＮＳＳとＷＬＡＮ／ＢＴは通常同時に使用できない。したがって、たとえＵＥが「位置情報を使用するためにＷＬＡＮ／ＢＴを測定するように」構成されていたとしても、ＧＮＳＳ信号が十分強い場合、ＵＥはＷＬＡＮ／ＢＴ  ＲＦフィンガープリント情報をログに含めるべきではない。それらがログに含まれていない場合、ロギングのためのメモリサイズの制約により、ロギングの機会が増える可能性がある。逆に、ＧＮＳＳ信号が弱い、またはＧＮＳＳが利用可能でない場合、ＵＥはＷＬＡＮ／ＢＴ  ＲＦフィンガープリント情報をログに含めるべきである。上記のアプローチが合理的である場合、詳細な位置情報を取得するために「ＷＬＡＮ／ＢＴ測定が関連する他のＭＤＴ測定のための位置情報を提供するための」というオプションインディケーションが導入されるべきである。
【００８８】
提案８：ＧＮＳＳ測定結果が利用可能である場合、ＵＥは位置情報を使用するためにＷＬＡＮ／ＢＴを測定する必要はないはずである。
【００８９】
提案９：ＵＥが位置情報のためにＷＬＡＮ／ＢＴ測定が設定されている場合、ＵＥは、ＧＮＳＳ信号が利用可能でない場合にのみ位置情報を使用するためにＷＬＡＮ／ＢＴ信号を測定、報告およびログしようと試みる。
【００９０】
屋内パフォーマンスのシナリオ１とは対照的に、Ｉｍｍｅｄｉａｔｅ  ＭＤＴはオペレータにとってセルラパフォーマンスを向上させるという利点があるため、セクション２．１のＡｌｔ  １（Ｉｍｍｅｄｉａｔｅ  ＭＤＴ  ｉｎ  ＩＤＬＥとＬｏｇｇｅｄ  ＭＤＴの組み合わせ）の使用がより適切であると考える。何故ならば、Ｐｏｗｅｒ  Ｈｅａｄｒｏｏｍ測定、Ｓｃｈｅｄｕｌｅｄ  ＩＰ  Ｔｈｒｏｕｇｈｐｕｔ測定、Ｐａｃｋｅｔ  Ｄｅｌａｙ測定、Ｐａｃｋｅｔ  Ｌｏｓｓ  ｒａｔｅ測定はすべてＩｍｍｅｄｉａｔｅ  ＭＤＴの一部であり、ＷＬＡＮ／ＢＴ測定は詳細な位置情報として使用されるだけである。
【００９１】
提案１０：位置情報の測定には、Ｉｍｍｅｄｉａｔｅ  ＭＤＴとＬｏｇｇｅｄ  ＭＤＴ  ｉｎ  ＩＤＬＥの組み合わせを採用すべきである。
【００９２】
提案１０が合意されると仮定すると、Ｉｍｍｅｄｉａｔｅ  ＭＤＴとＬｏｇｇｅｄ  ＭＤＴは、ＷＬＡＮ／ＢＴに関連する以下の設定を許可する必要がある。
【００９３】
Ｉｍｍｅｄｉａｔｅ  ＭＤＴ
ＵＥは、ＷＬＡＮ／ＢＴ  ＲＳＳＩの降順で任意のＷＬＡＮ／ＢＴを含むべきである。すなわち、ベストなＷＬＡＮ／ＢＴが測定報告の先頭に含まれる。ＷＬＡＮ測定が利用可能な場合は、Ｒｏｕｎｄ  ｔｒｉｐ  ｔｉｍｅをオプションで報告できる。このＵＥの動作は、ｒｅｐｏｒｔＡｎｙＷＬＡＮ  ＩＥが設定されている場合と非常によく似ている。
【００９４】
Ｌｏｇｇｅｄ  ＭＤＴ
ＵＥは、利用可能なＷＬＡＮ／ブルートゥース測定結果を隣接セルとしてログに含めるべきである。ＷＬＡＮ／ＢＴ測定が利用可能である場合、Ｒｏｕｎｄ  ｔｒｉｐ  ｔｉｍｅをオプションとしてログに含めることができる。１回のロギングでログに含まれるＷＬＡＮ／ＢＴの最大数は更なる検討が必要な事項である。屋内パフォーマンスを評価するためのＷＬＡＮ測定と、関連する他のＭＤＴ測定のための位置情報を提供するためのＷＬＡＮ／ＢＴ測定との両方がＵＥに設定される場合、重複を避けるために、ＷＬＡＮ  ＡＰ測定結果は提案８に記載のように隣接セルとしてログされるべきではない。
【００９５】
（３．一般的なソリューション対個別のソリューション）
セクション２で前述したように、シナリオ間の要件が異なるため、ＵＥの挙動は２．１と２．２で同じではない。したがって、「屋内パフォーマンスを評価するためのＷＬＡＮ測定」と「関連する他のＭＤＴ測定のための位置情報を提供するためのＷＬＡＮ／ＢＴ測定」には別々のソリューションがあるのが望ましいである。次に、ＲＡＮ２は、「屋内パフォーマンスを評価するためのＷＬＡＮ測定のために」および「関連する他のＭＤＴ測定のための位置情報を提供するためのＷＬＡＮ／ＢＴ測定のために」２つの異なるＷＬＡＮ／ＢＴ  ＭＤＴインディケーションを導入すべきである。
【００９６】
提案１１：シナリオ１と２に別々のソリューションを導入する必要がある。
【００９７】
提案１２：２つのシナリオをサポートするためのインディケーションは、それぞれのＭＤＴメカニズムにおいて提供されるべきである（すなわち、シナリオ１に対してはＡｌｔ  ２、シナリオ２に対してはＡｌｔ  １）。
【００９８】
なお、本願は米国仮出願第６２／６３０９２２号（２０１８年２月１５日出願）の優先権を主張し、その内容の全てが本願明細書に組み込まれている。
【図１】
2019160083.tif 000003
【図２】
2019160083.tif 000004
【図３】
2019160083.tif 000005
【図４】
2019160083.tif 000006
【図５】
2019160083.tif 000007
【図６】
2019160083.tif 000008
【図７】
2019160083.tif 000009
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
セルラ通信システムのユーザ装置であって、
ＷＬＡＮ及び／又はブルートゥースによる無線通信を行う通信部と、
前記セルラ通信システムのネットワークから送信され、前記セルラ通信システムを測定対象とするＭＤＴ測定を設定する設定メッセージを受信するセルラ受信部と、
前記設定メッセージに基づいて前記セルラ通信システムに対する無線測定を行う制御部と、
送信部と、を備え、
前記制御部は、前記セルラ通信システムに対する測定結果を含むＭＤＴ測定情報を記録し、
前記制御部は、前記ＷＬＡＮ及び／又は前記ブルートゥースに対する測定結果を利用可能である場合には、前記ＷＬＡＮ及び／又は前記ブルートゥースに対する測定結果を前記ＭＤＴ測定情報に含め、
前記送信部は、前記セルラ通信システムに対する測定結果が前記ＭＤＴ測定情報に含まれることを示す第１可用性インジケータを前記ネットワークに送信し、
前記送信部は、前記ＷＬＡＮ及び／又は前記ブルートゥースに対する測定結果を前記ＭＤＴ測定情報に含める場合に、前記ＷＬＡＮ及び／又は前記ブルートゥースに対する測定結果が前記ＭＤＴ測定情報にさらに含まれることも示す第２可用性インジケータを前記ネットワークに送信するユーザ装置。
【請求項２】
ＧＮＳＳ位置情報を取得するためのＧＮＳＳ受信部をさらに備え、
前記制御部は、前記ＧＮＳＳ位置情報を取得不能であり、かつ、前記ＷＬＡＮ及び／又は前記ブルートゥースに対する測定結果を利用可能である場合には、前記ＷＬＡＮ及び／又は前記ブルートゥースに対する測定結果を前記ＭＤＴ測定情報に含める、請求項１に記載のユーザ装置。
【請求項３】
前記制御部は、前記設定メッセージが前記ＷＬＡＮ及び／又は前記ブルートゥースを測定対象として設定しない場合であっても、前記ＷＬＡＮ及び／又は前記ブルートゥースに対する測定結果を利用可能である場合には、前記ＷＬＡＮ及び／又は前記ブルートゥースに対する測定結果を自律的に前記ＭＤＴ測定情報に含める、請求項１に記載のユーザ装置。
【請求項４】
前記セルラ受信部は、前記ネットワークのセルにおいてブロードキャストされ、識別子リストを含むシステム情報ブロックをさらに受信し、
前記識別子リストは、１又は複数のＷＬＡＮ識別子及び／又は１又は複数のブルートゥース識別子を含み、
前記制御部は、前記識別子リスト中の識別子に限定して前記ＷＬＡＮ及び／又は前記ブルートゥースに対する無線測定を行う、請求項１に記載のユーザ装置。
【請求項５】
セルラ通信システムのユーザ装置であって、
ＷＬＡＮ及び／又はブルートゥースによる無線通信を行う通信部と、
前記セルラ通信システムのネットワークから送信され、ログドＭＤＴ測定を設定する設定メッセージを受信するセルラ受信部と、
前記設定メッセージに基づいて、前記ＷＬＡＮ及び／又は前記ブルートゥースに対する無線測定を行い、測定結果を含むＭＤＴ測定情報を記録する制御部と、
前記ネットワークからの要求に応じて、前記ＭＤＴ測定情報を前記ネットワークに送信するセルラ送信部と、を備え、
前記セルラ受信部は、前記ネットワークのセルにおいてブロードキャストで送信され、識別子リストを含むシステム情報ブロックをさらに受信し、
前記識別子リストは、１又は複数のＷＬＡＮ識別子及び／又は１又は複数のブルートゥース識別子を含み、
前記制御部は、前記識別子リスト中の識別子に限定して前記ＷＬＡＮ及び／又は前記ブルートゥースに対する無線測定を行う、ユーザ装置。
【国際調査報告】
2019160083.tif 000010
2019160083.tif 000011
2019160083.tif 000012